(57)【要約】      （修正有）【課題】簡単な構造で、アコースティックピアノの鍵タッチ感に近似した鍵タッチ感を得ることができ、演奏者が違和感なく良好に演奏することができる鍵盤装置を提供する。【解決手段】クリック感付与部材１８が、鍵２に設けられた突起部２０と、鍵盤シャーシ１に設けられ、鍵２を押鍵操作した際に突起部２０が上方から当接して第１支点２７を中心に撓み変形することにより、突起部２０が乗り越える弾性部材とを備え、この弾性部材は、弾性部材を乗り越えた突起部２０が下方から当接する際に支持される第２支点２８を有し、第１支点２７は弾性部材の先端部２５ａからの長さＬ１が第２支点２８までの長さＬよりも短い位置に設置されている。従って、押鍵時にクリック感を付与し、離鍵時にクリック感をほとんど付与しないので、簡単な構造で、アコースティックピアノの鍵タッチ感に近似した鍵タッチ感を得ることができる。【選択図】図２
2011248046.tif 000002
【特許請求の範囲】
【請求項１】
鍵盤シャーシと、この鍵盤シャーシ上に上下方向に回転可能に設けられた鍵と、この鍵の押鍵操作時に前記鍵にクリック感を付与するクリック感付与部材とを備えた鍵盤装置において、
前記クリック感付与部材は、前記鍵に設けられた突起部と、前記鍵盤シャーシに設けられ、前記鍵を押鍵操作した際に前記突起部が上方から当接して撓み変形することにより、前記突起部が乗り越える弾性部材とを備え、
この弾性部材は、前記鍵が押鍵操作されて前記突起部が上方から当接する際に支持される第１支点と、前記弾性部材を乗り越えた前記突起部が下方から当接する際に支持される第２支点とを有し、前記第１支点は前記突起部が当接する前記弾性部材の先端部からの長さが前記弾性部材の前記先端部から前記第２支点までの長さよりも短い位置に設置されていることを特徴とする鍵盤装置。
【請求項２】
前記第２支点に位置する前記弾性部材の箇所には、溝部が前記鍵の前後方向と直交する方向に沿って設けられていることを特徴とする請求項１に記載の鍵盤装置。
【請求項３】
前記弾性部材の下面に配置されて、前記弾性部材の前記先端部から前記第１支点までの長さを調整する変形調整板を備えていることを特徴とする請求項１または請求項２に記載の鍵盤装置。
【請求項４】
前記変形調整板は、前記弾性部材の前記先端部から前記第１支点までの長さが、低音域側で短く、高音域側に向かうに従って次第に長くなる状態で設けられていることを特徴とする請求項３に記載の鍵盤装置。
【発明の詳細な説明】
【技術分野】
【０００１】
この発明は、電子ピアノや電子オルガンなどの電子鍵盤楽器の鍵盤装置に関する。
【背景技術】
【０００２】
従来、電子鍵盤楽器においては、特許文献１に記載されているように、アコースティックピアノの鍵タッチ感に近似した鍵タッチ感を得るために、押鍵操作時に鍵荷重を急激に軽くして、鍵荷重が抜ける感覚のレットオフ効果を付与するクリック感付与部材を備えた構成のものが知られている。
【先行技術文献】
【特許文献】
【０００３】
【特許文献１】特開平０６−３１８０７７号公報
【０００４】
この種の電子鍵盤楽器は、鍵の押鍵操作に応じて上下方向に回転して鍵にアクション荷重を付与するハンマー部材を備え、このハンマー部材が回転する際に、クリック感付与部材がハンマー部材に対して鍵荷重を重くした後に、鍵荷重を急激に軽くして、鍵荷重が抜けるような感覚のクリック感を付与することにより、鍵にレットオフ効果を付与するように構成されている。
【０００５】
この場合、クリック感付与部材は、鍵が押鍵されてハンマー部材が上下方向に回転する際にハンマー部材が上下方向から当接するローラと、このローラを回転自在に支持してハンマー部材の上下方向と直交する接離方向に弾性変形する板ばねとを備え、鍵が押鍵されてハンマー部材が回転する際に、ハンマー部材がローラに当接して鍵荷重を重くし、ハンマー部材が板ばねのばね力に抗してローラを乗り越えたときに、鍵荷重を急激に軽くして、鍵荷重が抜ける感覚のクリック感を鍵に付与するように構成されている。
【発明の概要】
【発明が解決しようとする課題】
【０００６】
しかしながら、このような従来の電子鍵盤楽器では、ハンマー部材が上下方向から当接するローラを回転自在に支持する板ばねが、ハンマー部材の上下方向と直交する接離方向、つまりハンマー部材の前後方向に弾性変形するため、鍵が押鍵されてハンマー部材がローラに上方から当接してローラを乗り越える際、およびローラを乗り越えたハンマー部材が初期位置に戻る離鍵時にハンマー部材がローラに下方から当接してローラを乗り越える際のいずれにおいても、板ばねのばね力によってハンマー部材にほぼ一定の負荷が付与される。
【０００７】
このため、押鍵操作によってハンマー部材がローラに上方から当接してローラを乗り越える際に、鍵荷重を重くした後に急激に軽くして、鍵荷重が抜ける感覚のクリック感を付与することができても、ローラを乗り越えたハンマー部材が初期位置に戻る離鍵時にも、ハンマー部材がローラに下方から当接するため、板ばねのばね力によってハンマー部材に負荷が付与され、鍵荷重が抜ける感覚のクリック感が鍵に発生する。このため、本来は、離鍵時にクリック感が発生しないアコースティックピアノの鍵タッチ感に近似した鍵タッチ感を得ることができないばかりか、演奏者に違和感を与え、良好に演奏することができないという問題がある。
【０００８】
この発明が解決しようとする課題は、簡単な構造で、アコースティックピアノの鍵タッチ感に近似した鍵タッチ感を得ることができ、演奏者が違和感なく良好に演奏することができる鍵盤装置を提供することである。
【課題を解決するための手段】
【０００９】
この発明は、上記課題を解決するために、次のような構成要素を備えている。
請求項１に記載の発明は、鍵盤シャーシと、この鍵盤シャーシ上に上下方向に回転可能に設けられた鍵と、この鍵の押鍵操作時に前記鍵にクリック感を付与するクリック感付与部材とを備えた鍵盤装置において、前記クリック感付与部材は、前記鍵にその前後方向に突出して設けられた突起部と、前記鍵盤シャーシに設けられ、前記鍵を押鍵操作した際に前記突起部が上方から当接して撓み変形することにより、前記突起部が乗り越える弾性部材とを備え、この弾性部材は、前記鍵が押鍵操作されて前記突起部が上方から当接する際に支持される第１支点と、前記弾性部材を乗り越えた前記突起部が下方から当接する際に支持される第２支点とを有し、前記第１支点は前記突起部が当接する前記弾性部材の先端部からの長さが前記弾性部材の前記先端部から前記第２支点までの長さよりも短い位置に設置されていることを特徴とする鍵盤装置である。
【００１０】
請求項２に記載の発明は、前記第２支点に位置する前記弾性部材の箇所に、溝部が前記鍵の前後方向と直交する方向に沿って設けられていることを特徴とする請求項１に記載の鍵盤装置である。
【００１１】
請求項３に記載の発明は、前記弾性部材の下面に配置されて前記弾性部材の前記先端部から前記第１支点までの長さを調整する変形調整板を備えていることを特徴とする請求項１または請求項２に記載の鍵盤装置である。
【００１２】
請求項４に記載の発明は、前記変形調整板を、前記弾性部材の前記先端部から前記第１支点までの長さが、低音域側で短く、高音域側に向かうに従って次第に長くなる状態で設けていることを特徴とする請求項３に記載の鍵盤装置である。
【発明の効果】
【００１３】
この発明によれば、押鍵された鍵の突起部が鍵盤シャーシの弾性部材に上方から当接して、弾性部材を撓み変形させて乗り越える際に、第１支点によって弾性部材による反発力を強くすることができ、これにより鍵荷重を重くして、鍵に鍵荷重が抜ける感覚のクリック感を強く付与することができる。
【００１４】
また、押鍵された鍵が初期位置に戻る際に、鍵の突起部が鍵盤シャーシの弾性部材に下方から当接して、弾性部材を撓み変形させて乗り越える際には、第２支点によって弾性部材による反発力を弱くすることができ、これにより鍵荷重を軽くして、鍵に鍵荷重が抜ける感覚のクリック感をほとんど付与しないようにすることができる。このため、簡単な構造で、アコースティックピアノの鍵タッチ感に近似した鍵タッチ感を得ることができ、演奏者が違和感なく良好に演奏することができる。
【図面の簡単な説明】
【００１５】
【図１】この発明を電子鍵盤楽器に適用した実施形態１において、鍵が押鍵されていない初期状態を示した断面図である。
【図２】図１に示された電子鍵盤楽器において、鍵の突起部が鍵盤シャーシ上の弾性部材の上方に位置している状態を示した要部の拡大断面図である。
【図３】図１に示された電子鍵盤楽器において、鍵が押されて突起部が弾性部材に上方から当接して撓み変形した状態を示した断面図である。
【図４】図３に示された電子鍵盤楽器において、鍵の突起部が弾性部材を押し下げて撓み変形させた状態を示した要部の拡大断面図である。
【図５】図３に示された電子鍵盤楽器において、鍵が更に押されて突起部が弾性部材を乗り越えて鍵にクリック感を付与した状態を示した断面図である。
【図６】図５に示された電子鍵盤楽器において、鍵の突起部が弾性部材を乗り越えて鍵にクリック感を付与した際に、弾性部材が元の位置に弾性復帰した状態を示した要部の拡大断面図である。
【図７】図５に示された電子鍵盤楽器において、鍵が初期位置に戻る途中の状態を示した断面図である。
【図８】図７に示された電子鍵盤楽器において、鍵の突起部が弾性部材を下側から上側に向けて撓み変形させてすり抜ける状態を示した要部の拡大断面図である。
【図９】図１〜図８に示された電子鍵盤楽器の押鍵時および離鍵時における鍵荷重と鍵ストロークとの特性を示した図である。
【図１０】この発明を電子鍵盤楽器に適用した実施形態２において、クリック感付与部材を示した要部の拡大断面図である。
【図１１】図１０に示されたクリック感付与部材の要部を分解して示した拡大斜視図である。
【図１２】図１０に示されたクリック感付与部材における低音域と高音域とを示し、（ａ）は低音域に位置するクリック感付与部材を示した要部の拡大断面図、（ｂ）は高音域に位置するクリック感付与部材を示した要部の拡大断面図である。
【発明を実施するための形態】
【００１６】
（実施形態１）
以下、図１〜図９を参照して、この発明を電子鍵盤楽器に適用した実施形態１について説明する。
この電子鍵盤楽器は、図１に示すように、楽器ケースの下部ケースを兼ねる鍵盤シャーシ１を備えている。この鍵盤シャーシ１の上部には、複数の鍵２が音階順に並列に配列された状態で、それぞれ上下方向に回転可能に取り付けられている。
【００１７】
この複数の鍵２は、白鍵と黒鍵とからなっている。ただし、この実施形態１では白鍵について説明する。これらの鍵２の各後端部（図１では左端部）には、図１に示すように、回転支点である肉厚の薄い屈曲部３がそれぞれ設けられている。この屈曲部３は、鍵２の配列方向に沿って連続する共通連結部４に連結されている。この共通連結部４は、図１に示すように、鍵盤シャーシ１の後端上部（図１では左端上部）に設けられた鍵支持部５上にビス５ａによって取り付けられている。
【００１８】
すなわち、共通連結部４は、図１に示すように、白鍵用の共通連結部４と黒鍵用の共通連結部４とを有し、これらが上下に重ね合わされた状態で、鍵支持部５上にビス５ａによって取り付けられている。これにより、鍵２は、図３および図５に示すように、押鍵操作されると、回転支点である屈曲部３が上下方向に弾性変形することにより、この屈曲部３を中心に上下方向に回転するように構成されている。
【００１９】
また、この鍵２の前側内部（図１では右側内部）には、図１に示すように、鍵盤シャーシ１の鍵ガイド部６が挿入されている。これにより、鍵２は、押鍵操作された際に、鍵ガイド部６が鍵２内を相対的に上下方向に摺動することにより、横振れしないように構成されている。
【００２０】
さらに、この鍵２は、図１および図２に示すように、そのほぼ中間部に鍵２の上下位置を規制するための位置規制部７が下側に突出して設けられている。この位置規制部７は、その下部後端にフック部７ａが後方（図２では左側）に突出して設けられ、このフック部７ａが鍵盤シャーシ１の立上り部８に設けられた開口部８ａ内に挿入した状態で、上下方向に移動するように構成されている。
【００２１】
これにより、位置規制部７は、図５および図６に示すように、鍵２が押し下げられた際に、位置規制部７のフック部７ａの下端が鍵盤シャーシ１の立上り部８における開口部８ａの下部に設けられたフェルトなどの下限ストッパ９に上方から当接することにより、鍵２の下限位置を規制するように構成されている。
【００２２】
また、この位置規制部７は、図１および図２に示すように、押鍵された鍵２が初期位置に復帰する際に、位置規制部７のフック部７ａの上端が鍵盤シャーシ１の立上り部８における開口部８ａの上部に設けられたフェルトなどの上限ストッパ１０に下方から当接することにより、鍵２の上限位置を規制するように構成されている。
【００２３】
さらに、鍵盤シャーシ１の前後方向（図１では左右方向）におけるほぼ中間に位置する上部には、図１および図２に示すように、スイッチ部材１１が複数の鍵２の下側に位置した状態で設けられている。このスイッチ部材１１は、鍵盤シャーシ１上に取り付けられたスイッチ基板１２と、このスイッチ基板１２上に設けられて鍵２のスイッチ押圧部１３によって押圧されるスイッチ部１４とを備えている。
【００２４】
スイッチ基板１２は、図１および図２に示すように、鍵２の配列方向に沿って連続する帯板状に形成されている。このスイッチ基板１２は、鍵盤シャーシ１における後端部の鍵支持部５と中間部の立上り部８との間にそれぞれ起立して設けられた基板支持部１５によって、鍵盤シャーシ１上に取り付けられている。また、スイッチ部１４は、図１および図２に示すように、スイッチ基板１２上に配置されたゴムシート１６を備えている。このゴムシート１６は、シリコーンゴムなどの弾力性を有するエラストマからなり、鍵２の配列方向に沿って連続する細長い帯状に形成されている。
【００２５】
この場合、ゴムシート１６には、図１および図２に示すように、ドーム形状の膨出部１７が、複数の鍵２の各スイッチ押圧部１３にそれぞれ対応した状態で、等間隔に形成されている。このドーム形状の膨出部１７は、図１および図２に示すように、その反発力（弾性力）によって鍵２のスイッチ押圧部１３を押し上げると共に、その反発力に抗して鍵２のスイッチ押圧部１３で押圧されると、図３、図５および図７に示すように、弾性変形するように構成されている。
【００２６】
この場合、ドーム形状の膨出部１７内には、図示しないが、スイッチ基板１２の上面に設けられた一対の固定接点に接離可能に接触する一対の可動接点が設けられている。これにより、スイッチ部１４は、図５に示すように、鍵２のスイッチ押圧部１３によってドーム形状の膨出部１７が押圧されて弾性変形すると、膨出部１７内の一対の可動接点がスイッチ基板１２の一対の固定接点に順次接触して、発音信号を出力するように構成されている。
【００２７】
ところで、この電子鍵盤楽器は、図１および図２に示すように、押鍵操作時に鍵２にクリック感を付与するクリック感付与部材１８を備えている。このクリック感付与部材１８は、鍵２の位置規制部７にその前方（図２では右側）に向けて突出して設けられた突起部２０と、鍵盤シャーシ１上にベース部材２２を介して設けられた弾性部材２１とを備えている。突起部２０は、図２に示すように、ほぼ三角形状に形成され、位置規制部７の前側下部（図２では右側下部）に前側に向けて突出して設けられている。
【００２８】
すなわち、この突起部２０は、その下端面が第１傾斜部２０ａに形成され、その上部の側面が第２傾斜部２０ｂに形成されている。この場合、第１傾斜面２０ａは、水平方向に対して前上がり（図２では右上がり）に緩やかな角度（例えば、約３０度）で傾斜する傾斜面に形成されている。第２傾斜面２０ｂは、水平方向に対して前下がり（図２では右下がり）に急な角度（例えば、約６０度）で傾斜する傾斜面に形成されている。
【００２９】
弾性部材２１は、図２に示すように、鍵盤シャーシ１上に設けられたベース部材２２上にビス２３によって取り付けられ、図２および図８に示すように、それぞれ上下方向に撓み変形するように構成されている。この場合、ベース部材２２は、鍵２の配列方向に沿って連続する細長い板状に形成されている。また、このベース部材２２は、その高さが下限ストッパ部９の厚みよりも十分に高く形成されている。
【００３０】
弾性部材２１は、シリコーンゴムやエラストマなどの柔軟性を有する合成樹脂、または厚みの薄い撓み変形可能な金属板などからなり、図２に示すように、ベース部材２２上に配置されてビス２３によって固定される固定部２４と、この固定部２４に各鍵２とそれぞれ対応した状態で鍵２の後側（図２では左側）に向けて突出する複数の弾性片２５とを備えている。すなわち、この弾性部材２１は、図２に示すように、固定部２４の後端部（図２では左端部）に複数の弾性片２５をそれぞれ鍵２の後側（図２では左側）に向けて突出させた状態で一体に形成した構成で、全体がほぼ櫛歯状に形成されている。
【００３１】
この場合、固定部２４は、図２に示すように、その上部に押え板２６が配置され、この押え板２６を介してビス２３によってベース部材２２上に固定されている。この押え板２６は、鍵２の配列方向に沿って連続する帯板状をなし、弾性部材２１の固定部２４とほぼ同じ大きさに形成されている。これにより、押え板２６は、鍵２の後側に位置する後端部（図２では左端部）と固定部２４の後端部とがほぼ一致した状態で、固定部２４上に配置されて固定部２４を押え付けるように構成されている。
【００３２】
また、複数の弾性片２５は、図２に示すように、それぞれベース部材２２上から鍵２の後側（図２では左側）に向けて突出し、この突出した先端部２５ａが、押鍵操作されていない初期状態における鍵２の位置規制部７に設けられた突起部２０の下側に位置するように配置されている。これにより、弾性片２５は、図４および図８に示すように、その先端部２５ａに鍵２の位置規制部７の突起部２０が上下方向から当接することにより、上下方向に撓み変形して突起部２０が弾性片２５の先端部２５ａを乗り越えるように構成されている。
【００３３】
この場合、弾性片２５は、図４に示すように、鍵２が押鍵操作されて位置規制部７の突起部７が上方から当接する際に支持される第１支点２７と、図８に示すように、位置規制部７の突起部２０が下方から当接する際に支持される第２支点２８とを有している。第１支点２７は、図２および図４に示すように、ベース部材２２の上面における後端部（図４では左端部）に位置している。また、第２支点２８は、図２および図８に示すように、弾性片２５と固定部２４との境界部分、つまり固定部２４の後端部に対応する前側部分で、押え板２６の後端部に対応する前側部分に位置している。
【００３４】
すなわち、第１支点２７は、図２に示すように、突起部２０が当接する弾性片２５の先端部２５ａからベース部材２２の後端部（図２では左端部）までの長さ（Ｌ１）で、弾性片２５の長さ（Ｌ）のほぼ半分の長さ（Ｌ１≒（１／２）Ｌ＜Ｌ）に対応する位置に設置されている。また、第２支点２８は、突起部２０が当接する弾性片２５の先端部２５ａから押え板２６の後端部（図２では左端部）までの長さ（Ｌ）、つまり弾性片２５の長さ（Ｌ）と同じ長さに対応する位置に設置されている。
【００３５】
このため、第１支点２７は、図２に示すように、弾性片２５の先端部２５ａからベース部材２２の後端部（図２では左端部）までの長さ（Ｌ１）が、第２支点２８における弾性片２５の先端部２５ａから押え板２６の後端部（図２では左端部）までの長さ（Ｌ）よりも短く、その長さ（Ｌ）のほぼ半分程度の長さ（Ｌ１≒（１／２）Ｌ＜Ｌ）に対応する位置に設置されている。
【００３６】
これにより、弾性片２５は、図３および図４に示すように、鍵２が押鍵操作された際に位置規制部７の突起部２０が上方から当接すると、第１支点２７に支持された状態で、下側に向けて撓み変形して鍵２に鍵荷重を付与するように構成されている。この場合、弾性片２５は、その先端部２５ａから第１支点２７までの長さ（Ｌ１）が弾性片２５の長さ（Ｌ）の半分程度の長さ（Ｌ１≒（１／２）Ｌ＜Ｌ）に対応する位置に設置されるので、弾性片２５の反発力が強く、鍵２に付与される鍵荷重を重くするように構成されている。
【００３７】
このため、弾性片２５は、図２および図４に示すように、鍵２が押鍵操作されて位置規制部７の突起部２０によって押し下げられることにより、弾性片２５が下側に向けて撓み変形し、図５および図６に示すように、突起部２０が弾性片２５の先端部２５ａを乗り越えると、鍵２に付与される鍵荷重を急激に軽くし、鍵荷重が急激に抜ける感覚のクリック感を鍵２に付与して、元の状態に弾性復帰するように構成されている。
【００３８】
また、この弾性片２５は、鍵２が押鍵操作されて位置規制部７の突起部２０が弾性片２５の先端部２５ａを乗り越えた後に、初期位置に戻る際に、図７および図８に示すように、突起部２０が下方から当接すると、第２支点２８に支持された状態で、上側に向けて撓み変形するように構成されている。
【００３９】
この場合、弾性片２５は、図２に示すように、その先端部２５ａから第２支点２８までの長さ（Ｌ）が弾性片２５の長さ（Ｌ）とほぼ長さに対応する位置に設置されるので、弾性片２５の反発力が第１支点２７を中心に撓み変形する場合のときよりも弱くなり、鍵２に付与される鍵荷重が大幅に軽くなるように構成されている。これにより、弾性片２５は、図８に示すように、突起部２０が弾性片２５の先端部２５ａを下側から軽く乗り越えて、元の状態に弾性復帰して、鍵２を初期位置に戻すように構成されている。
【００４０】
また、この弾性片２５における第２支点２８に対応する箇所には、図２に示すように、切欠き溝２９が鍵２の前後方向と直交する方向、つまり固定部２４の後端部（図２では左端部）に沿って設けられている。このため、弾性片２５は、図７および図８に示すように、鍵２の位置規制部７に設けられた突起部２０が下方から当接して上側に向けて撓み変形する際に、第２支点２８に対応する箇所の切欠き溝２９によって、弾性片２５の反発力を更に弱くし、弾性片２５が軽い力で撓み変形することにより、鍵荷重が鍵２にほとんど付与されないように構成されている。
【００４１】
次に、この電子鍵盤楽器の作用について説明する。
鍵２が押鍵されていない初期状態では、図１および図２に示すように、鍵２の後端部に設けられた屈曲部３の弾性復帰力によって鍵２が上方に押し上げられていると共に、鍵２のスイッチ押圧部１３がスイッチ部材１１のスイッチ部１４におけるドーム状の膨出部１７の反発力（弾性力）によって押し上げられている。
【００４２】
これにより、鍵２は、図１および図２に示すように、鍵２の位置規制部７に設けられたフック部７ａの上端が鍵盤シャーシ１の立上り部８における開口部８ａの上部に設けられた上限ストッパ１０に下側から当接し、鍵２が上限位置に規制されている。この状態では、図２に示すように、鍵２の位置規制部７の突起部２１における下端部の第１傾斜面２１ａが、弾性部材２１における弾性片２５の先端部２５ａの上方に位置している。
【００４３】
この状態で、鍵２が押鍵されると、まず、鍵２が回転支点である屈曲部３を中心に図１において時計回りに回転し、鍵２のスイッチ押圧部１３がスイッチ部１４のドーム形状の膨出部１７を押圧して弾性変形させる。このときには、屈曲部３の弾性変形と、スイッチ部１４の膨出部１７の弾性変形とによって、図９の曲線部Ａに示すように、鍵荷重が急激に重くなる。そして、鍵２が更に押し下げられて鍵２のスイッチ押圧部１３がスイッチ部１４の膨出部１７を更に押圧すると、図３および図４に示すように、膨出部１７が急激に弾性変形するので、図９の曲線部Ｂに示すように、鍵荷重が少し軽くなる。
【００４４】
この後、鍵２が更に押し下げられると、鍵２のスイッチ押圧部１３がスイッチ部１４の膨出部１７を更に押圧し、膨出部１７内の可動接点がスイッチ基板１２の固定接点に接触するので、図９の曲線部Ｃに示すように、鍵荷重が再び重くなる。そして、図３および図４に示すように、鍵２の位置規制部７における突起部２０の第１傾斜面２０ａが、鍵盤シャーシ１上に配置された弾性部材２１の弾性片２５に上方から当接して、弾性片２５を押し下げるので、弾性片２５が第１支点２７を中心に撓み変形する。
【００４５】
このときには、弾性片２５の先端部２５ａから第１支点２７までの長さ（Ｌ１）が弾性片２５の長さ（Ｌ）の半分程度の長さ（Ｌ１≒（１／２）Ｌ＜Ｌ）であるから、弾性片２５の反発力が強く、図９の曲線部Ｄに示すように、鍵２に付与される鍵荷重が急激に重くなる。そして、図５および図６に示すように、鍵２の位置規制部７における突起部２０の第１傾斜面２０ａが、弾性部材２１の弾性片２５を乗り越えると、鍵２に対する弾性片２５の反発力による負荷がなくなるので、図９の曲線部Ｅに示すように、鍵荷重が急激に軽くなり、鍵２に鍵荷重が抜ける感覚のクリック感が付与される。
【００４６】
このときには、弾性片２５が弾性復帰し、この弾性片２５の先端部２５ａが、鍵２の位置規制部７における突起部２０の第２傾斜面２０ｂに接触することなく、第１傾斜面２０ａの上側に移動して元の状態に戻る。この状態で、鍵２が更に押し下げられると、鍵２の位置規制部７に設けられたフック部７ａの下端が鍵盤シャーシ１の立上り部８における開口部８ａの下部に設けられた下限ストッパ９に上側から当接することにより、鍵２が下限位置に規制される。このため、図９の曲線部Ｆに示すように、鍵荷重が再び急激に重くなる。
【００４７】
一方、押鍵された鍵２が初期位置に復帰する際には、図５および図６に示すように、鍵２の後端部に設けられた屈曲部３の弾性復帰力によって鍵２が上方に押し上げられると共に、スイッチ部材１１のスイッチ部１４におけるドーム状の膨出部１７の反発力（弾性復帰力）によって押し上げられる。このため、図９の曲線部Ｇに示すように、鍵荷重が急激に軽くなる。
【００４８】
この後、図７および図８に示すように、鍵２の位置規制部７における突起部２０の第２傾斜面２０ｂが、鍵盤シャーシ１上に配置された弾性部材２１の弾性片２５の先端部２５ａに下方から当接して、弾性片２５を押し上げるので、弾性片２５が第２支点２８を中心に撓み変形する。このときには、弾性片２５の先端部２５ａから第２支点２８までの長さ（Ｌ）が弾性片２５の長さ（Ｌ）とほぼ同じの長さで、弾性片２５の先端部２５ａから第１支点２７までの長さ（Ｌ１）よりも長いので、弾性片２５の反発力が弱い。
【００４９】
また、このときには、第２支点２８に対応する弾性片２５の箇所に切欠き溝２９が設けられているので、この切欠き溝２９によっても、弾性片２５の反発力を更に弱くなり、鍵２に鍵荷重がほとんど付与されない。このため、弾性片２５は鍵荷重が抜ける感覚のクリック感を鍵２に若干付与し、図９の曲線部Ｈに示すように、鍵２に付与される鍵荷重が僅かに重くなる。
【００５０】
そして、図７および図８に示すように、鍵２の位置規制部７における突起部２０の第２傾斜面２０ｂが、弾性部材２１の弾性片２５の先端部２５ａを乗り越えると、鍵２に対する弾性片２５の反発力による負荷がなくなるので、図９の曲線部Ｉに示すように、鍵荷重が少し軽くなり、突起部２０が弾性片２５の先端部２５ａをすり抜けて上方に移動する。この後、スイッチ部１４の膨出部１７が鍵２のスイッチ押圧部１３を押し上げて元のドーム形状に弾性復帰するので、図９の曲線部Ｊに示すように、鍵荷重が少し重くなった後に軽くなる。
【００５１】
そして、鍵２がその回転支点である屈曲部３の弾性復帰力によって鍵２が上方に押し上げられると共に、鍵２のスイッチ押圧部１３がスイッチ部材１１のスイッチ部１４におけるドーム状の膨出部１７の反発力（弾性復帰力）によって押し上げられる。このため、図９の曲線部Ｋに示すように、鍵荷重が急激に軽くなり、図１および図２に示すように、鍵２が初期位置に戻る。
【００５２】
このように、この電子鍵盤楽器によれば、鍵２の押鍵操作時に鍵２にクリック感を付与するクリック感付与部材１８が、鍵２に設けられた突起部２０と、鍵盤シャーシ１に設けられ、鍵２を押鍵操作した際に突起部２０が上方から当接して撓み変形することにより、突起部２０が乗り越える弾性部材２１とを備え、この弾性部材２１が、第１支点２７と第２支点２８とを有し、第１支点２７は突起部２０が当接する弾性部材２１の先端部２５ａからの長さ（Ｌ１）が弾性部材２１の先端部２５ａから第２支点２８までの長さ（Ｌ）よりも短い（Ｌ１＜Ｌ）位置に設置されているので、簡単な構造で、アコースティックピアノの鍵タッチ感に近似した鍵タッチ感を得ることができる。
【００５３】
すなわち、この電子鍵盤楽器では、クリック感付与部材１８が、鍵２に設けられた突起部２０と、鍵盤シャーシ１上にベース部材２２を介して設けられた弾性部材２１とを備え、弾性部材２１が、押鍵操作されて突起部２０が上方から当接する際に支持される第１支点２７と、弾性部材２１を乗り越えた突起部２０が下方から当接する際に支持される第２支点２８とを有する構成であるから、構造が簡単で、部品点数も少なく、組立作業性も良いので、楽器全体の低コスト化を図ることができる。
【００５４】
また、この電子鍵盤楽器では、突起部２０の当接する弾性部材２１の先端部２５ａから第１支点２７までの長さ（Ｌ１）が、弾性部材２１の先端部２５ａから第２支点２８までの長さ（Ｌ）よりも短い（Ｌ１＜Ｌ）ので、押鍵された鍵２の突起部２０が鍵盤シャーシ１の弾性部材２１の弾性片２５に上方から当接して弾性部材２１の弾性片２５を撓み変形させて乗り越える際に、第１支点２７によって弾性部材２１の弾性片２５の反発力を強くすることができ、これにより鍵荷重を重くして、鍵２に鍵荷重が急激に抜ける感覚のクリック感を強く付与することができる。
【００５５】
また、この電子鍵盤楽器では、突起部２０の当接する弾性部材２１の先端部２５ａから第２支点２８までの長さ（Ｌ）が、弾性部材２１の先端部２５ａから第１支点２７までの長さ（Ｌ１）よりも長い（Ｌ＞Ｌ１）ので、押鍵された鍵２が初期位置に戻るときに、鍵２の突起部２０が鍵盤シャーシ１の弾性部材２１の弾性片２５に下方から当接して、弾性変２５を撓み変形させて乗り越える際に、第２支点２８によって弾性部材２１の弾性片２５の反発力を弱くすることができ、これにより鍵荷重を軽くして、鍵２に鍵荷重が抜ける感覚のクリック感がほとんど付与されないようにすることができる。
【００５６】
このため、押鍵された鍵２の突起部２０が弾性部材２１の弾性片２５に上方から当接して弾性片２５を乗り越える際に、鍵荷重を重くして抜ける感覚のクリック感を強く付与することができ、また押鍵された鍵２が初期位置に戻る際に、鍵２の突起部２０が弾性部材２１の弾性片２５に下方から当接して乗り越えるときに、鍵荷重を軽くして鍵２に抜ける感覚のクリック感がほとんど付与されないようにすることができるので、簡単な構造で、アコースティックピアノの鍵タッチ感に近似した鍵タッチ感を得ることができ、演奏者が違和感なく良好に演奏することができる。
【００５７】
この場合、第２支点２８に位置する弾性部材２１の箇所には、切欠き溝２９が鍵２の前後方向と直交する方向に沿って設けられていることにより、押鍵された鍵２が初期位置に戻る際に、鍵２の突起部２０が弾性部材２１の弾性片２５に下方から当接して弾性片２５を押し上げるときに、第２支点２８に対応する箇所の切欠き溝２９によって、弾性片２５の反発力を、より一層、弱くすることができる。このため、鍵荷重が鍵２にほとんど付与されないようにすることができるので、離鍵時にクリック感が鍵２に付与されないアコースティックピアノの鍵タッチ感に近似した鍵タッチ感を得ることができる。
【００５８】
なお、上述した実施形態１では、弾性部材２１の弾性片２５における第２支点２８と対応する箇所に切欠き溝２９を設けた構成である場合について述べたが、必ずしも弾性片２５に切欠き溝２９を設ける必要はない。この場合には、弾性片２５の先端部２５ａから第１支点２７までの長さ（Ｌ１）と、弾性片２５の先端部２５ａから第２支点２８までの長さ（Ｌ）との差（Ｌ−Ｌ１）を、上述した実施形態１よりも、十分に大きくすれば良い。
【００５９】
（実施形態２）
次に、図１０〜図１２を参照して、この発明を適用した電子鍵盤楽器の実施形態２について説明する。なお、図１〜図９に示された実施形態１と同一部分には同一符号を付して説明する。
この電子鍵盤楽器は、図１０に示すように、押鍵操作時に鍵２にクリック感を付与するクリック感付与部材３５が実施形態１と異なる構成であり、これ以外は実施形態１とほぼ同じ構成になっている。
【００６０】
すなわち、このクリック感付与部材３５は、図１０および図１１に示すように、弾性部材２１の下面に変形調整板３６を配置し、この変形調整板３６を介して弾性部材２１をベース部材２２上に取り付けた構成になっている。この場合にも、弾性部材２１は、実施形態１と同様、ベース部材２２上に変形調整板３６を介して配置された状態でビス２３によって固定される固定部２４と、この固定部２４に各鍵２とそれぞれ対応した状態で鍵２の後方（図１０では左側）に突出して設けられた複数の弾性片２５とを備えている。
【００６１】
この弾性部材２１も、図１０および図１１に示すように、固定部２４の後端部（図１０では左端部）に複数の弾性片２５をそれぞれ鍵２の後側（図１０では左側）に向けて突出させた状態で一体に形成した構成で、全体がほぼ櫛歯状に形成されている。固定部２４は、変形調整板３６上に配置された状態で、固定板２４の上部に押え板２６が配置されることにより、変形調整板３６と押え板２６との間にサンドイッチ状態で介在され、ビス２３によってベース部材２２上に固定されている。
【００６２】
この押え板２６は、図１０および図１１に示すように、鍵２の配列方向に沿って連続する帯板状をなし、弾性部材２１の固定部２４とほぼ同じ大きさに形成されている。これにより、押え板２６は、実施形態１と同様、鍵２の後側に位置する後端部（図１０では左端部）と固定部２４の後端部とがほぼ一致した状態で、固定部２４上に配置されて固定部２４を押え付けるように構成されている。
【００６３】
変形調整板３６は、図１０〜図１２に示すように、鍵２の配列方向に沿って連続する帯板状の本体部３６ａと、この本体部３６ａの後端部（図１０では左端部）に複数の支持突起部３６ｂをそれぞれ鍵２の後側（図１０では左側）に向けて突出させた状態で一体に形成した構成で、弾性部材２１と同様、全体がほぼ櫛歯状に形成されている。この変形調整板３６は、その前端部（図１０では右端部）が固定部２４の前端部とほぼ一致した状態で、ベース部材２２上から鍵２の後方（図１０では左側）に向けて突出するように構成されている。
【００６４】
複数の弾性片２５は、図１０に示すように、それぞれ変形調整板３６上から鍵２の後方（図１０では左側）に向けて突出し、この突出した先端部２５ａが、押鍵操作されていない初期状態における鍵２の位置規制部７に設けられた突起部２０の下側に位置するように配置されている。これにより、弾性片２５は、図１０〜図１２に示すように、その先端部２５ａに鍵２の位置規制部７の突起部２０が上下方向から当接すると、撓み変形して突起部２０が弾性片２５の先端部２５ａを乗り越えるように構成されている。
【００６５】
この場合、弾性片２５は、図１０に示すように、鍵２が押鍵操作されて位置規制部７の突起部７が上方から当接する際に支持される第１支点３７と、位置規制部７の突起部２０が下方から当接する際に支持される第２支点３８とを有している。第１支点３７は、図１０に示すように、ベース部材２２から後方（図１０では左側）に突出した変形調整板３６の支持突起部３６ｂの先端部３６ｃに位置している。すなわち、この第１支点２７は、図１０に示すように、突起部２０が当接する弾性片２５の先端部２５ａから変形調整板３６の支持突起部３６ｂの先端部３６ｃまでの長さ（Ｌａ）に対応する位置に設置されている。
【００６６】
また、第２支点２８は、図１０に示すように、弾性片２５と固定部２４との境界部分、つまり固定部２４の後端部に対応する前側部分で、押え板２６の後端部２６ａに対応する前側部分に位置している。すなわち、この第２支点３８は、突起部２０が当接する弾性片２５の先端部２５ａから押え板２６の後端部２６ａまでの長さ（Ｌｂ）、つまり弾性片２５の長さ（Ｌ）と同じ長さ（Ｌｂ＝Ｌ）に対応する位置に設置されている。
【００６７】
この場合にも、第１支点３７は、図１０に示すように、弾性片２５の先端部２５ａから変形調整板３６の支持突起部３６ｂの先端部３６ｃまでの長さ（Ｌａ）が、弾性片２５の先端部２５ａから第２支点３８までの長さ（Ｌｂ）、つまり弾性片２５の先端部２５ａから押え板２６の後端部２６ａまでの長さ（Ｌ＝Ｌｂ）よりも短い（Ｌａ＜Ｌｂ）位置に設置されている。
【００６８】
ところで、変形調整板３６は、図１２（ａ）および図１２（ｂ）に示すように、ベース部材２２の後端部（図１２では左端部）から後方に突出する長さ（Ｓ１、Ｓ２）が、低音域側で長く（Ｓ１）、高音域側に向かうに従って次第に短く（Ｓ２＜Ｓ１）なるように形成されている。このため、低音域側に位置する弾性片２５の第１支点３７は、図１２（ａ）に示すように、弾性片２５の先端部２５ａから変形調整板３６の支持突起部３６ｂの先端部３６ｃまでの長さ（Ｌａ１）が、弾性片２５の長さ（Ｌ＝Ｌｂ）よりも大幅に短くなるように設定されている。
【００６９】
また、高音域側に位置する弾性片２５の第１支点３７は、図１２（ｂ）に示すように、弾性片２５の先端部２５ａから変形調整板３６の支持突起部３６ｂの先端部３６ｃまでの長さ（Ｌａ２）が、低音域側における弾性片２５の先端部２５ａから変形調整板３６の支持突起部３６ｂの先端部３６ｃまでの長さ（Ｌａ１）よりも長く（Ｌａ２＞Ｌａ１）、且つ弾性片２５の長さ（Ｌ＝Ｌｂ）よりも十分に短く（Ｌａ１＜Ｌａ２＜Ｌｂ＝Ｌ）なるように設定されている。
【００７０】
これにより、弾性片２５は、図１２（ａ）に示すように、鍵２が押鍵操作された際に位置規制部７の突起部２０が上方から当接すると、第１支点３７に支持された状態で、下側に向けて撓み変形して鍵２に鍵荷重を付与するように構成されている。この場合、低音域側に位置する弾性片２５は、その先端部２５ａから第１支点３７までの長さ（Ｌａ１）が弾性片２５の長さ（Ｌ＝Ｌｂ）よりも大幅に短いので、弾性片２５の反発力が強く、鍵２に付与される鍵荷重を重くするように構成されている。
【００７１】
このため、弾性片２５は、図１２（ａ）に示すように、鍵２が押鍵操作されて位置規制部７の突起部２０によって押し下げられることにより、弾性片２５が下側に向けて撓み変形し、突起部２０が弾性片２５の先端部２５ａを乗り越えると、鍵荷重を急激に軽くし、鍵荷重が急激に抜ける感覚のクリック感を鍵２に付与して、元の状態に弾性復帰するように構成されている。
【００７２】
また、高音域側に位置する弾性片２５は、図１２（ｂ）に示すように、その先端部２５ａから第１支点３７までの長さ（Ｌａ２）が弾性片２５の長さ（Ｌ＝Ｌｂ）よりも十分に短い（Ｌａ２＜＜Ｌｂ＝Ｌ）ので、弾性片２５の反発力が強く、鍵２に付与される鍵荷重を重くするように構成されている。
【００７３】
この場合には、弾性片２５の先端部２５ａから変形調整板３６の支持突起部３６ｂの先端部３６ｃまでの長さ（Ｌａ２）が、低音域側における弾性片２５の先端部２５ａから変形調整板３６の支持突起部３６ｂの先端部３６ｃまでの長さ（Ｌａ１）よりも長い（Ｌａ２＞Ｌａ１）ので、高音域側の弾性片２５は、低音域側の弾性片２５よりも、反発力が少し弱く、鍵２に付与される鍵荷重が低音域側よりも少し軽くなるように構成されている。
【００７４】
また、この弾性片２５は、鍵２が押鍵操作されて位置規制部７の突起部２０が弾性片２５の先端部２５ａを乗り越えた後に、初期位置に戻る際に、図１２（ａ）および図１２（ｂ）に示すように、突起部２０が下方から当接すると、第２支点３８に支持された状態で、上側に向けて撓み変形するように構成されている。
【００７５】
この場合、弾性片２５は、図１２（ａ）および図１２（ｂ）に示すように、その先端部２５ａから第２支点３８までの長さ（Ｌｂ）が弾性片２５の長さ（Ｌ）とほぼ長さ（Ｌｂ＝Ｌ）に対応する位置に設置されているので、弾性片２５の反発力が第１支点３７を中心に撓むときよりも十分に弱くなり、鍵２に付与される鍵荷重が大幅に軽くなるように構成されている。これにより、弾性片２５は、図１２（ａ）および図１２（ｂ）に示すように、突起部２０が弾性片２５の先端部２５ａを軽く乗り越えて、元の状態に弾性復帰して、鍵２を初期位置に戻すように構成されている。
【００７６】
次に、この電子鍵盤楽器におけるクリック感付与部材３５の作用について説明する。
この場合、鍵２が押鍵されて鍵２の回転支点である屈曲部３を中心に回転すると、鍵２の位置規制部７における突起部２０の第１傾斜面２０ａが、鍵盤シャーシ１上に変形調整板３６を介して配置された弾性部材２１の弾性片２５に上方から当接し、弾性片２５を押し下げる。すると、弾性片２５が第１支点３７を中心に撓み変形する。
【００７７】
このときには、弾性片２５の先端部２５ａから第１支点３７までの長さ（Ｌａ１、Ｌａ２）が弾性片２５の長さ（Ｌ）よりも十分に短い（Ｌａ１、Ｌａ２＜＜Ｌ）ので、弾性片２５の反発力が強く、実施形態１と同様、鍵２に付与される鍵荷重が急激に重くなる。そして、鍵２の位置規制部７における突起部２０の第１傾斜面２０ａが、弾性部材２１の弾性片２５を乗り越えると、鍵２に対する弾性片２５の反発力による負荷がなくなるので、鍵荷重が急激に軽くなり、鍵２に鍵荷重が抜ける感覚のクリック感が付与される。
【００７８】
この場合、低音域側に位置する弾性片２５の第１支点３７は、図１２（ａ）に示すように、弾性片２５の先端部２５ａから変形調整板３６の支持突起部３６ｂの先端部３６ｃまでの長さ（Ｌａ１）が、高音域側における弾性片２５の先端部２５ａから変形調整板３６の支持突起部３６ｂの先端部３６ｃまでの長さ（Ｌａ２）よりも短く（Ｌａ１＜Ｌａ２）、且つ弾性片２５の長さ（Ｌ＝Ｌｂ）よりも十分に短く（Ｌａ１＜＜Ｌｂ＝Ｌ）なるように設定されている。
【００７９】
このため、弾性片２５は、図１２（ａ）に示すように、鍵２の位置規制部７の突起部２０が上方から当接して、第１支点３７に支持された状態で下側に向けて撓み変形する際に、弾性片２５の反発力が高音域側よりも強く、鍵２に重い鍵荷重を付与する。これにより、弾性片２５は、図１２（ａ）に示すように、鍵２の位置規制部７の突起部２０が弾性片２５の先端部２５ａを乗り越えると、鍵荷重が急激に軽くなり、鍵２に鍵荷重が急激に抜ける感覚のクリック感を強く付与する。
【００８０】
また、高音域側に位置する弾性片２５の第１支点３７は、図１２（ｂ）に示すように、弾性片２５の先端部２５ａから変形調整板３６の支持突起部３６ｂの先端部３６ｃまでの長さ（Ｌａ２）が、低音域側における弾性片２５の先端部２５ａから変形調整板３６の支持突起部３６ｂの先端部３６ｃまでの長さ（Ｌａ１）よりも少し長く（Ｌａ２＞Ｌａ１）、且つ弾性片２５の長さ（Ｌ＝Ｌｂ）よりも十分に短く（Ｌａ２＜＜Ｌｂ＝Ｌ）なるように設定されている。
【００８１】
このため、弾性片２５は、図１２（ｂ）に示すように、鍵２の位置規制部７の突起部２０が上方から当接して、第１支点３７に支持された状態で下側に向けて撓み変形する際に、弾性片２５の反発力が低音域側よりも少し弱いが、鍵２に重い鍵荷重を付与する。これにより、弾性片２５は、図１２（ｂ）に示すように、鍵２の位置規制部７の突起部２０が弾性片２５の先端部２５ａを乗り越えると、鍵荷重が急激に軽くなり、鍵２に鍵荷重が急激に抜ける感覚のクリック感を低音域側よりも少し弱く付与する。
【００８２】
一方、押鍵された鍵２が初期位置に復帰する際には、実施形態１と同様、鍵２の後端部に設けられた屈曲部３の弾性復帰力によって鍵２が上方に押し上げられると共に、スイッチ部材１１のスイッチ部１４におけるドーム状の膨出部１７の反発力（弾性復帰力）によって押し上げられ、鍵２の位置規制部７における突起部２０の第２傾斜面２０ｂが、鍵盤シャーシ１上に配置された弾性部材２１の弾性片２５の先端部２５ａに下方から当接して、弾性片２５を押し上げるので、弾性片２５が第２支点３８を中心に撓み変形する。
【００８３】
このときには、図１２（ａ）および図１２（ｂ）に示すように、弾性片２５の先端部２５ａから第２支点３８までの長さ（Ｌｂ）が弾性片２５の長さ（Ｌ）とほぼ長さ（Ｌｂ＝Ｌ）に対応する位置に設置されているので、弾性片２５の反発力が第１支点３７を中心に撓み変形する場合のときよりも十分に弱くなり、鍵２に付与される鍵荷重が大幅に軽くなる。これにより、弾性片２５は、図１２（ａ）および図１２（ｂ）に示すように、突起部２０が弾性片２５の先端部２５ａを軽く乗り越えて、鍵２に鍵荷重が抜ける感覚のクリック感をほとんど付与することがなく、元の状態に弾性復帰して、鍵２を初期位置に戻す。
【００８４】
このように、この電子鍵盤楽器によれば、実施形態１と同様の作用効果があるほか、弾性部材２１の下面に配置されて、弾性部材２１の弾性片２５の先端部２５ａから第１支点３７までの長さ（Ｌａ、Ｌａ１、Ｌａ２）を調整する変形調整板３６を備えているので、この変形調整板３６によって弾性部材２１の弾性片２５の先端部２５ａから第１支点３７までの長さ（Ｌａ、Ｌａ１、Ｌａ２）を調整することにより、弾性片２５の反発力を調整することができ、これにより鍵２に付与されるクリック感の強さを最適化することができる。
【００８５】
この場合、変形調整板３６は、弾性部材２１の弾性片２５の先端部２５ａから第１支点３７までの長さ（Ｌａ）が、低音域側で短く（Ｌａ１＜Ｌａ２）、高音域側に向かうに従って次第に長く（Ｌａ２＞Ｌａ１）なるように設けられていることにより、低音域側に位置する弾性片２５の反発力を、高音域側に位置する弾性片２５の反発力よりも、強くすることができ、また高音域側に位置する弾性片２５の反発力を、低音域側に位置する弾性片２５の反発力よりも、弱くすることができる。
【００８６】
このため、低音域側に位置する鍵２の鍵荷重を、高音域側に位置する鍵２の鍵荷重を重くして、低音域側の鍵２に付与されるクリック感を、高音域側の鍵２に付与されるクリック感よりも強くすることができ、また高音域側に位置する鍵２の鍵荷重を、低音域側に位置する鍵２の鍵荷重を少し軽くして、高音域側の鍵２に付与されるクリック感を、低音域側の鍵２に付与されるクリック感よりも少し弱くすることができる。これにより、簡単な構造で、より一層、アコースティックピアノの鍵タッチ感に近似した鍵タッチ感を得ることができ、演奏者が違和感なく良好に演奏することができる。
【００８７】
なお、上述した実施形態２においても、実施形態１と同様、第２支点３８に対応する弾性片２５の箇所に、切欠き溝２９を設けた構成にしても良い。このように構成すれば、実施形態１と同様、押鍵された鍵２が初期位置に戻る際に、突起部２０が弾性片２５の先端部２５ａを押し上げても、突起部２０が軽い力で弾性片２５の先端部２５ａをすり抜けるので、より一層、離鍵時にクリック感を鍵２に付与しないようにすることができる。
【００８８】
また、上述した実施形態２では、変形調整板３６が、鍵２の配列方向に連続する帯板状の本体部３６ａと、この本体部３６ａの後端部に各鍵２とそれぞれ対応して一体に形成された複数の支持突起部３６ｂとを備えた構成である場合について述べたが、これに限らず、例えば変形調整板は、各鍵２に対応してそれぞれ単独で個別に形成された構成であっても良い。この場合には、各鍵２ごとに変形調整板がそれぞれ鍵の前後方向に移動可能に取り付けることにより、各鍵ごとにクリック感を調整することができ、きめ細かく鍵タッチ感を調整することができる。
【００８９】
さらに、上述した実施形態１、２およびその変形例では、鍵２の位置規制部７に突起部２０を設けた場合について述べたが、必ずしも鍵２の位置規制部７に突起部２０を設ける必要はなく、例えば鍵盤シャーシ１の鍵ガイド部６によってガイドされる箇所など、鍵２のどのような箇所に設けても良い。
【００９０】
また、上述した実施形態１、２およびその各変形例では、突起部２０を鍵２の前側（図２および図１０では右側）に向けて突出させ、弾性部材２１の弾性片２５を鍵２の後方（図２および図１０では左側）に向けて突出させた場合について述べたが、これに限らず、突起部を鍵２の後方に向けて突出させ、弾性部材２１の弾性片２５を鍵２の前方に向けて突出させた構成であっても良い。
【００９１】
なおまた、この発明の鍵盤装置は、上述した実施形態１、２およびその各変形例に限らず、鍵盤シャーシ１に複数のハンマー部材を各鍵２に対応させた状態で上下方向に回転可能に設け、鍵２の押鍵操作に応じてハンマー部材を回転させて鍵２にアクション荷重を付与する構成のものにも適用することができる。
【符号の説明】
【００９２】
１  鍵盤シャーシ
２  鍵
３  屈曲部
４  共通連結部
５  鍵支持部
７  位置規制部
１８、３５  クリック感付与部材
２０  突起部
２１  弾性部材
２２  ベース部材
２３  ビス
２４  固定部
２５  弾性片
２５ａ  先端部
２６  押え板
２７、３７  第１支点
２８、３８  第２支点
２９  切欠き溝
３６  変形調整板
Ｌ１、Ｌａ  弾性片の先端部から第１支点までの長さ
Ｌ、Ｌｂ  弾性片の先端部から第２支点までの長さ
Ｌａ１  低音域における弾性片の先端部から第１支点までの長さ
Ｌａ２  高音域における弾性片の先端部から第１支点までの長さ
【図１】
2011248046.tif 000003
【図２】
2011248046.tif 000004
【図３】
2011248046.tif 000005
【図４】
2011248046.tif 000006
【図５】
2011248046.tif 000007
【図６】
2011248046.tif 000008
【図７】
2011248046.tif 000009
【図８】
2011248046.tif 000010
【図９】
2011248046.tif 000011
【図１０】
2011248046.tif 000012
【図１１】
2011248046.tif 000013
【図１２】
2011248046.tif 000014